(57)【要約】【課題】カーソルキーとして兼用される文字キーが特定されることなく、キーボード上の各文字キーのユーザ操作の仕方に応じてカーソル移動制御や画面スクロール制御を行うことが可能になるキーボード入力装置を提供する。【解決手段】「切替」キーを入力してカーソルモードに設定した状態で、文字入力キーを入力すると（Ａ１）、１キー入力の場合にはカーソル移動量１（小）（Ａ３ａ）、複数キー入力の場合にはカーソル移動量２（大）に設定される（Ａ２，Ａ３ｂ）。そして前記文字入力キーの入力位置を移動させると（Ａ４）、当該移動前後の各キー入力位置からカーソル移動方向が判定され（Ａ５，Ａ６）、表示部に表示されているカーソルＣｕが前記設定されたカーソル移動量で前記判定されたカーソル移動方向に移動表示される（Ａ７）。【選択図】      図４
2010108243.tif 000002
【特許請求の範囲】
【請求項１】
複数のキーを配列したキー入力部と、
このキー入力部により連続して入力される前回入力キーと今回入力キーとを記憶する入力キー記憶手段と、
この入力キー記憶手段により記憶された前回入力キーと今回入力キーとに基づき、当該入力されたキーの位置の移動方向を判定するキー移動判定手段と、
前記キー入力部によるキー入力の状態に応じてカーソル移動量あるいは画面スクロール量を設定する移動量設定手段と、
この移動量設定手段により設定されたカーソル移動量あるいは画面スクロール量で、前記キー移動判定手段により判定された移動方向に、表示装置に表示されているカーソルを移動あるいは画面をスクロールさせる表示制御手段と、
を備えたことを特徴とするキーボード入力装置。
【請求項２】
前記移動量設定手段は、前記キー入力部により前回入力されたキーのキー数に応じてカーソル移動量あるいは画面スクロール量を設定することを特徴とする請求項１に記載のキーボード入力装置。
【請求項３】
前記移動量設定手段は、前記キー入力部による前回入力キーの入力から今回入力キーの入力までの時間に応じてカーソル移動量あるいは画面スクロール量を設定することを特徴とする請求項１に記載のキーボード入力装置。
【請求項４】
前記キー入力部により前回入力されたキーのキー数に応じて表示制御の対象をカーソル移動または画面スクロールに設定する制御対象設定手段を備え、
前記表示制御手段は、前記制御対象設定手段により表示制御の対象がカーソル移動に設定された場合には、前記移動量設定手段により設定されたカーソル移動量で、前記キー移動判定手段により判定された移動方向に、表示装置に表示されているカーソルを移動させ、前記制御対象設定手段により表示制御の対象が画面スクロールに設定された場合には、前記移動量設定手段により設定された画面スクロール量で、前記キー移動判定手段により判定された移動方向に、表示装置に表示されている画面をスクロールさせる、
ことを特徴とする請求項１または請求項３に記載のキーボード入力装置。
【発明の詳細な説明】
【技術分野】
【０００１】
本発明は、表示画面を備えた電子情報機器において、ユーザによるキーボードの操作に応じてカーソル移動や画面スクロール表示等の制御を行うキーボード入力装置に関する。
【背景技術】
【０００２】
近年、ＰＣ(Personal Computer)に代表される電子情報機器では、携帯情報端末や携帯電話など、キー入力機能を維持しつつもキーボードのキー数を減らして小型軽量化を図ることが考えられている。
【０００３】
このような電子情報機器のキーボードにおいて、表示画面上のカーソルを移動表示させたり表示画面をスクロール表示させたりするのに、「↑」「↓」「←」「→」などのカーソルキーを専用に設けないで、切り替えによって文字入力キーをカーソルキーとしても兼用することのできる「入力装置」が考えられている（例えば、特許文献１参照。）。
【特許文献１】特開昭６２−２７９４１９号公報
【発明の開示】
【発明が解決しようとする課題】
【０００４】
前記従来の入力装置では、カーソルキーを専用に設けずに済み、その分だけ小型軽量化が可能であるものの、切り替えによってカーソルキーとして兼用される文字入力キーが特定されているなど、ユーザが慣れるまでは使い勝手が悪い問題がある。
【０００５】
本発明は、このような課題に鑑みなされたもので、カーソルキーとして兼用される文字キーが特定されることなく、キーボード上の各文字キーのユーザ操作の仕方に応じてカーソル移動制御や画面スクロール制御を行うことが可能になるキーボード入力装置を提供することを目的とする。
【課題を解決するための手段】
【０００６】
請求項１に記載のキーボード入力装置は、複数のキーを配列したキー入力部と、このキー入力部により連続して入力される前回入力キーと今回入力キーとを記憶する入力キー記憶手段と、この入力キー記憶手段により記憶された前回入力キーと今回入力キーとに基づき、当該入力されたキーの位置の移動方向を判定するキー移動判定手段と、前記キー入力部によるキー入力の状態に応じてカーソル移動量あるいは画面スクロール量を設定する移動量設定手段と、この移動量設定手段により設定されたカーソル移動量あるいは画面スクロール量で、前記キー移動判定手段により判定された移動方向に、表示装置に表示されているカーソルを移動あるいは画面をスクロールさせる表示制御手段と、を備えたことを特徴としている。
【０００７】
請求項２に記載のキーボード入力装置は、前記請求項１に記載のキーボード入力装置において、前記移動量設定手段は、前記キー入力部により前回入力されたキーのキー数に応じてカーソル移動量あるいは画面スクロール量を設定することを特徴としている。
【０００８】
請求項３に記載のキーボード入力装置は、前記請求項１に記載のキーボード入力装置において、前記移動量設定手段は、前記キー入力部による前回入力キーの入力から今回入力キーの入力までの時間に応じてカーソル移動量あるいは画面スクロール量を設定することを特徴としている。
【０００９】
請求項４に記載のキーボード入力装置は、前記請求項１または請求項３に記載のキーボード入力装置において、前記キー入力部により前回入力されたキーのキー数に応じて表示制御の対象をカーソル移動または画面スクロールに設定する制御対象設定手段を備え、前記表示制御手段は、前記制御対象設定手段により表示制御の対象がカーソル移動に設定された場合には、前記移動量設定手段により設定されたカーソル移動量で、前記キー移動判定手段により判定された移動方向に、表示装置に表示されているカーソルを移動させ、前記制御対象設定手段により表示制御の対象が画面スクロールに設定された場合には、前記移動量設定手段により設定された画面スクロール量で、前記キー移動判定手段により判定された移動方向に、表示装置に表示されている画面をスクロールさせる、ことを特徴としている。
【発明の効果】
【００１０】
本発明によれば、カーソルキーとして兼用される文字キーが特定されることなく、キーボード上の各文字キーのユーザ操作の仕方に応じてカーソル移動制御や画面スクロール制御を行うことが可能になるキーボード入力装置を提供できる。
【発明を実施するための最良の形態】
【００１１】
以下図面により本発明の実施の形態について説明する。
【００１２】
本発明の実施の形態に係るキーボード入力装置は、以下に説明する携帯情報端末（携帯型ＰＣ）１０に搭載されて構成されるか、携帯電話、据置型ＰＣなど、各種の文字入力キーを備えた電子情報機器に搭載されて構成される。
【００１３】
（第１実施形態）
図１は、本発明の実施形態に係るキーボード入力装置を搭載した携帯情報端末（携帯型ＰＣ）１０の外観構成を示す正面図である。
【００１４】
この携帯情報端末（携帯型ＰＣ）１０は、その本体ケース１１と蓋体ケース１２とがヒンジ部１３を介して展開／閉塞可能な折り畳み型ケースを備えて構成される。この折り畳み型ケースを展開した本体ケース１１の表面には、文字入力キー１４ａ、ファンクションキー１４ｂ、「実行」キー１４ｃ、「切替」キー１４ｄなどを設けたキー入力部（キーボード）１４が備えられる。この「切替」キー１４ｄは、キーボードを文字等を入力する通常モードとカーソルの移動を制御するカーソルモードとに切り替えるためのキーである。なお、キー入力部１４には、カーソルＣｕを移動表示させるための専用の上下左右方向を指示する操作キーを設けない。
【００１５】
また蓋体ケース１２の表面には、そのほぼ全面を対象にバックライト付きの液晶表示部１５が設けられる。
【００１６】
図２は、前記携帯情報端末（携帯型ＰＣ）１０の電子回路の構成を示すブロック図である。
【００１７】
この携帯情報端末（携帯型ＰＣ）１０の電子回路には、ＣＰＵ(central processing unit)２１が備えられる。
【００１８】
ＣＰＵ２１は、ＲＯＭ（フラッシュメモリ）２２内に予め記憶されたＰＣ制御プログラム、あるいはＲＯＭカードなどの外部記憶媒体から前記ＲＯＭ２２に読み込まれたＰＣ制御プログラム、あるいはインターネット上のＷｅｂサーバ（この場合はプログラムサーバ）を経由して前記ＲＯＭ２２に読み込まれたＰＣ制御プログラムに応じて、ＲＡＭ２３に各種の作業データを格納し回路各部の動作を制御する。
【００１９】
前記ＲＯＭ２２に記憶されたＰＣ制御プログラムは、キー入力部１４からのユーザ操作に応じた入力信号、あるいはインターネット上の各Ｗｅｂサーバとの通信信号、あるいは外部接続される記憶媒体との接続通信信号に応じて起動される。
【００２０】
前記ＣＰＵ２１には、前記ＲＯＭ２２、ＲＡＭ２３、キー入力部１４が接続される他に、液晶表示部１５などが接続される。
【００２１】
ＲＯＭ２２に記憶されるＰＣ制御プログラムとしては、当該携帯情報端末（携帯型ＰＣ）１０の全体の動作を司るシステムプログラム(OS; Operation System)２２ａを主体として、文書作成処理，表計算処理，画像処理，音声処理など実行する各種のアプリケーションプログラム２２ｂ、そしてキー入力部１４の「切替」キー１４ｄの入力に応じて起動されユーザ操作に応じたカーソルＣｕの移動表示処理を実行するカーソルモードプログラム２２ｃなどが記憶される。
【００２２】
ＲＡＭ２３には、前記カーソルモードプログラム２２ｃの実行に伴う作業データを格納するレジスタとして、切替モードレジスタ２３ａ、複数キー入力レジスタ２３ｂ、前回キーレジスタ２３ｃ、今回キーレジスタ２３ｄ、キー移動方向レジスタ２３ｅ、キー移動時間レジスタ２３ｆ、カーソル移動量レジスタ２３ｇなどが確保される。
【００２３】
なお、スクロール量レジスタ２３ｈは、後述する第２実施形態のキーボード入力装置を搭載した携帯情報端末（携帯型ＰＣ）１０において追加で確保される。
【００２４】
切替モードレジスタ２３ａには、キー入力部１４の「切替」キー１４ｄの入力に応じて、カーソルモードか、あるいは通常モードを示すモードデータが切り替えられて記憶される。
【００２５】
複数キー入力レジスタ２３ｂには、キー入力部１４の複数の文字入力キー１４ａが同時入力されたことを示す複数キー入力データが記憶される。
【００２６】
前回キーレジスタ２３ｃと今回キーレジスタ２３ｄには、キー入力部１４の文字入力キー１４ａのユーザ操作に伴う前回入力キーデータと今回キー入力キーデータとが記憶される。
【００２７】
キー移動方向レジスタ２３ｅには、前記前回キーレジスタ２３ｄに記憶された前回入力キーデータと前記今回キーレジスタ２３ｄに記憶された今回入力キーデータとに応じて判定されたキー操作位置の移動方向を示すキー移動方向データが記憶される。
【００２８】
キー移動時間レジスタ２３ｆには、キー入力部１４の文字入力キー１４ａのユーザ操作に伴う前回入力キーデータと今回キー入力キーデータとの入力時間差である、キー操作間の移動時間（速度）データが記憶される。
【００２９】
カーソル移動量レジスタ２３ｇには、カーソルＣｕの単位時間当たりの移動量のデータが、カーソルモードへの切り替え後に最初に入力された文字入力キー１４ａが１キー入力である場合には移動量１（小）、前記複数キー入力レジスタ２３ｂに複数キー入力データが記憶された場合には移動量２（大）として記憶され設定される。
【００３０】
図３は、前記携帯情報端末（携帯型ＰＣ）１０のキー入力部（キーボード）１４に対するユーザ操作状態の一例を示す図である。
【００３１】
この第１実施形態のキーボード入力装置を搭載した携帯情報端末（携帯型ＰＣ）１０では、「切替」キー１４ｄの入力に応じてカーソルモードに切り替えられた後に、例えばユーザの二本指ｆ１，ｆ２によって複数の文字入力キー１４ａ，…が同時入力されると、その後のユーザ操作に応じて移動表示されるカーソルＣｕの移動量が、前述したように移動量２（大）として前記カーソル移動量レジスタ２３ｇに設定される。そして、前記二本指ｆ１，ｆ２の両方又は一方を、文字入力キー１４ａに対する押し込み入力状態を継続させながら上下左右何れかの方向に移動させると、当該文字入力キー１４ａの入力位置の移動方向に対応する方向に、前記設定された移動量２（大）で、カーソルＣｕが移動表示される。
【００３２】
なお、このカーソルＣｕの移動表示の実行に伴い表示部１５に表示されている表示データが、表示すべきデータの一部であって画面スクロール可能な表示データである場合に、当該カーソルＣｕの移動位置が画面端部に到達しなお前記文字入力キー１４ａの入力が継続されている場合には、カーソルＣｕが移動してきた方向に画面スクロールが実行される。
【００３３】
次に、前記構成のキーボード入力装置を搭載した携帯情報端末（携帯型ＰＣ）１０における第１実施形態のカーソル移動機能について説明する。
【００３４】
図４は、前記携帯情報端末（携帯型ＰＣ）１０における第１実施形態のカーソルモード処理（１）を示すフローチャートである。
【００３５】
「切替」キー１４ｄの入力に応じて、切替モードレジスタ２３ａに、カーソルモードに切り替えられたことを示すモードデータが記憶され、図４におけるカーソルモード処理（１）が起動された状態で、文字入力キー１４ａが入力されたと判断されると（ステップＡ１（Ｙｅｓ））、複数の文字入力キー１４ａ，…の入力があったか否（１キー入力）か判断される（ステップＡ２）。
【００３６】
ここで、１キー入力と判断された場合には（ステップＡ２（Ｎｏ））、カーソル移動量レジスタ２３ｇに移動量１（小）が記憶設定され（ステップＡ３ａ）、複数キー入力と判断された場合には（ステップＡ２（Ｙｅｓ））、同カーソル移動量レジスタ２３ｇに移動量２（大）が記憶設定される（ステップＡ３ｂ）。
【００３７】
この入力が判断されたキーは今回キーレジスタ２３ｄに記憶される。そして、前記文字入力キー１４ａの入力位置が移動し、新たに入力されたキーを検出した場合にはキーが移動されたと判断し（ステップＡ４（Ｙｅｓ））、前記始めに入力されたキーデータが今回キーレジスタ２３ｄから前回キーレジスタ２３ｃに書き替えられて記憶されると共に、当該今回キーレジスタ２３ｄに移動先のキーデータが読み取られて記憶される（ステップＡ５）。
【００３８】
すると、前記前回キーレジスタ２３ｄに記憶された前回入力のキーデータと、前記今回キーレジスタ２３ｄに記憶された今回入力の移動先のキーデータとに応じて、キー操作位置の移動方向が判定されそのキー移動方向のデータがキー移動方向レジスタ２３ｅに記憶される（ステップＡ６）。
【００３９】
そして、このキー移動方向レジスタ２３ｅに記憶されたキー移動方向に、表示部１５に表示されているカーソルＣｕが、前記カーソル移動量レジスタ２３ｇに記憶された移動量１（小）又は２（大）により移動表示される（ステップＡ７）。
【００４０】
この後、文字入力キー１４ａに対するユーザ操作が解消され、前記今回入力の移動先のキーデータの入力が解除されると（ステップＡ８（Ｙｅｓ））、前記カーソルＣｕの移動表示が停止され、前記一連のカーソルモード処理（１）が終了される（ＥＮＤ）。
【００４１】
したがって、前記構成のキーボード入力装置を搭載した携帯情報端末（携帯型ＰＣ）１０における第１実施形態のカーソル移動機能によれば、「切替」キー１４ｄを入力してカーソルモードに設定した状態で、文字入力キー１４ａを入力すると、１キー入力の場合にはカーソル移動量１（小）、複数キー入力の場合にはカーソル移動量２（大）に設定される。そして、前記文字入力キー１４ａの入力位置を移動させると、当該移動前後の各キー入力位置からカーソル移動方向が判定され、表示部１５に表示されているカーソルＣｕが前記設定されたカーソル移動量で前記判定されたカーソル移動方向に移動表示される。このため、カーソル専用のキーを設ける必要なく、且つカーソルキーとして兼用される文字キーが特定されることもなく、任意の文字入力キーのキー入力数によってカーソル移動量を設定し、所望の移動方向にカーソルＣｕを移動表示させることができる。
【００４２】
なお、前記第１実施形態では、カーソルモード（１）に設定後、文字入力キー１４ａの１キー入力か複数キー入力かに応じて、カーソル移動量１（小）又は２（大）を選択設定する構成とした。これに対し、次の第２実施形態で説明するように、カーソルモード（２）に設定後、文字入力キー１４ａのユーザ操作に伴う前回入力キーと今回キー入力キーとの入力時間差である、キー移動時間（速度）に応じてカーソル移動量あるいは画面スクロール量を設定する構成としてもよい。
【００４３】
（第２実施形態）
本発明の第２実施形態に係るキーボード入力装置を搭載した携帯情報端末（携帯型ＰＣ）１０では、図２で示したように、ＲＡＭ２３内にスクロール量レジスタ２３ｈを追加して確保する。
【００４４】
そして、カーソル移動量レジスタ２３ｇ、スクロール量レジスタ２３ｈには、キー移動時間レジスタ２３ｆに記憶したキー移動時間（速度）に応じて、カーソル移動量、画面スクロール量を決定して記憶する。
【００４５】
図５は、前記携帯情報端末（携帯型ＰＣ）１０における第２実施形態のカーソルモード処理（２）を示すフローチャートである。
【００４６】
「切替」キー１４ｄの入力に応じて、切替モードレジスタ２３ａに、カーソルモードに切り替えられたことを示すモードデータが記憶され、図５におけるカーソルモード処理（２）が起動された状態で、文字入力キー１４ａが入力されたと判断されると（ステップＢ１（Ｙｅｓ））、複数の文字入力キー１４ａ，…の入力があったか否（１キー入力）か判断される（ステップＢ２）。
【００４７】
ここで、１キー入力と判断された場合には（ステップＢ２（Ｎｏ））、カーソル移動モードに設定され（ステップＢ３ｃ）、複数キー入力と判断された場合には（ステップＢ２（Ｙｅｓ））、画面スクロールモードに設定される（ステップＢ３ｓ）。
【００４８】
前記１キー入力によってカーソル移動モードに設定された後、文字入力キー１４ａの入力位置が移動したと判断された場合には（ステップＢ４ｃ（Ｙｅｓ））、前記始めに入力されたキーデータが今回キーレジスタ２３ｄから前回キーレジスタ２３ｃに書き替えられて記憶されると共に、当該今回キーレジスタ２３ｄに移動先のキーデータが読み取られて記憶される（ステップＢ５ｃ）。また前回キーから今回キー入力までの時間差が算出されキー移動時間レジスタ２３ｆに記憶される。
【００４９】
すると、前記前回キーレジスタ２３ｄに記憶された前回入力のキーデータと、前記今回キーレジスタ２３ｄに記憶された今回入力の移動先のキーデータとに応じて、キー操作位置の移動方向が判定されそのキー移動方向のデータがキー移動方向レジスタ２３ｅに記憶される（ステップＢ６ｃ）。
【００５０】
また、キー移動時間レジスタ２３ｆに記憶されたキー移動時間（速度）に応じてカーソル移動量が決定され、カーソル移動量レジスタ２３ｇに記憶される（ステップＢ７ｃ）。
【００５１】
そして、前記キー移動方向レジスタ２３ｅに記憶されたキー移動方向に、表示部１５に表示されているカーソルＣｕが、前記カーソル移動量レジスタ２３ｇに記憶されたカーソル移動量により移動表示される（ステップＢ８ｃ）。
【００５２】
この後、文字入力キー１４ａに対するユーザ操作が解消され、前記今回入力の移動先のキーデータの入力が解除されると（ステップＢ９ｃ（Ｙｅｓ））、前記カーソルＣｕの移動表示が停止され、前記一連のカーソルモード処理（２）が終了される（ＥＮＤ）。
【００５３】
一方、前記ステップＢ２，Ｂ３ｓにおいて、複数キー入力により画面スクロールモードに設定された後、文字入力キー１４ａの入力位置が移動したと判断された場合には（ステップＢ４ｓ（Ｙｅｓ））、前記カーソル移動モードと同様に、始めに入力されたキーデータが今回キーレジスタ２３ｄから前回キーレジスタ２３ｃに書き替えられて記憶されると共に、当該今回キーレジスタ２３ｄに移動先のキーデータが読み取られて記憶される（ステップＢ５ｓ）。
【００５４】
すると、前記前回キーレジスタ２３ｄに記憶された前回入力のキーデータと、前記今回キーレジスタ２３ｄに記憶された今回入力の移動先のキーデータとに応じて、キー操作位置の移動方向が判定されそのキー移動方向のデータがキー移動方向レジスタ２３ｅに記憶される（ステップＢ６ｓ）。
【００５５】
また、キー移動時間レジスタ２３ｆに記憶されたキー移動時間（速度）に応じて画面スクロール量が決定され、スクロール量レジスタ２３ｈに記憶される（ステップＢ７ｓ）。
【００５６】
そして、前記キー移動方向レジスタ２３ｅに記憶されたキー移動方向に、前記スクロール量レジスタ２３ｈに記憶された画面スクロール量で、表示部１５に表示されているデータがスクロールされて表示される（ステップＢ８ｓ）。
【００５７】
この後、文字入力キー１４ａに対するユーザ操作が解消され、前記今回入力の移動先のキーデータの入力が解除されると（ステップＢ９ｓ（Ｙｅｓ））、前記表示データのスクロール表示が停止され、前記一連のカーソルモード処理（２）が終了される（ＥＮＤ）。
【００５８】
したがって、前記構成のキーボード入力装置を搭載した携帯情報端末（携帯型ＰＣ）１０における第２実施形態のカーソル移動機能によれば、「切替」キー１４ｄを入力してカーソルモードに設定した状態で、文字入力キー１４ａを入力すると、１キー入力の場合にはカーソル移動モードに、複数キー入力の場合には画面スクロールモードに設定される。そして、前記文字入力キー１４ａの入力位置を移動させると、当該移動前後の各キー入力位置から移動方向が判定されると共に、キー移動時間（速度）に応じたカーソル移動量又は画面スクロール量が決定され、その移動方向と移動量に従ったカーソルＣｕの移動表示、又は同移動方向とスクロール量に従った表示画面のスクロール表示が行われる。このため、カーソル専用のキーを設ける必要なく、且つカーソルキーとして兼用される文字キーが特定されることもなく、任意の文字入力キーの入力位置の移動とその移動の速さによってカーソル移動量や画面スクロール量を設定し、所望の移動方向にカーソルＣｕを移動表示させたり、表示画面をスクロール表示させたりすることができる。
【００５９】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【図面の簡単な説明】
【００６０】
【図１】本発明の実施形態に係るキーボード入力装置を搭載した携帯情報端末（携帯型ＰＣ）１０の外観構成を示す正面図。
【図２】前記携帯情報端末（携帯型ＰＣ）１０の電子回路の構成を示すブロック図。
【図３】前記携帯情報端末（携帯型ＰＣ）１０のキー入力部（キーボード）１４に対するユーザ操作状態の一例を示す図。
【図４】前記携帯情報端末（携帯型ＰＣ）１０における第１実施形態のカーソルモード処理（１）を示すフローチャート。
【図５】前記携帯情報端末（携帯型ＰＣ）１０における第２実施形態のカーソルモード処理（２）を示すフローチャート。
【符号の説明】
【００６１】
１０  …携帯情報端末（携帯型ＰＣ）
１１  …本体ケース
１２  …蓋体ケース
１３  …ヒンジ部
１４  …キー入力部
１４ａ…文字入力キー
１４ｂ…ファンクションキー
１４ｃ…「実行」キー
１４ｄ…「切替」キー
１５  …液晶表示部（メイン画面）
２１  …ＣＰＵ
２２  …ＲＯＭ
２２ａ…システムプログラム(OS)
２２ｂ…アプリケーションプログラム
２２ｃ…カーソルモードプログラム
２３  …ＲＡＭ
２３ａ…切替モードレジスタ
２３ｂ…複数キー入力レジスタ
２３ｃ…前回キーレジスタ
２３ｄ…今回キーレジスタ
２３ｅ…キー移動方向レジスタ
２３ｆ…キー移動時間レジスタ
２３ｇ…カーソル移動量レジスタ
２３ｈ…スクロール量レジスタ
ｆ１，ｆ２…ユーザの指
【図１】
2010108243.tif 000003
【図２】
2010108243.tif 000004
【図３】
2010108243.tif 000005
【図４】
2010108243.tif 000006
【図５】
2010108243.tif 000007